Podtech/llm-jp-corpus-v4-ja_patent huggingface dataset:
(57)【要約】【課題】ガラスプレス成形によって得られるコバ付凹メニスカスレンズは、従来の金型構造６にてプレス成形を行い、その後成形レンズを心取りして所望の形状にする必要がある。このため、心取りによる工数・コストアップ、不要なガラスの廃棄など課題があった。【解決手段】本発明ではコバ付凹メニスカスレンズの場合、極小Ｒを設けた凸状の上金型４と下金型５を組合わせた金型構造は所望のレンズ形状と同じであり、また、コバ付両凹レンズの場合、極小Ｒを設けた凸状の上下金型構造４，５は所望のレンズ形状と同じであるので、これらの金型構造中に硝材を投入後にプレス成形を行うことによって、所望のレンズ形状が心取りせずに所望のレンズ形状が得られるのでコスト削減や環境に配慮した成形工法である。【選択図】図２
2009035443.tif 000002
【特許請求の範囲】
【請求項１】
ガラスプレス成形レンズに用いる、上下いずれか一方の凸状金型の成形面とフラット面の間に極小ＲもしくはＲを持たせたことを特徴とする成形金型。
【請求項２】
コバ付凹メニスカスレンズまたはコバ付両凹レンズに用いられることを特徴とする、請求項１に記載の成形金型。
【請求項３】
請求項１または請求項２に記載の成形金型を用いてレンズを成形するレンズ成形方法。
【発明の詳細な説明】
【技術分野】
【０００１】
本発明は、コバ付き凹メニスカスレンズの心取りレス化できる非球面ガラスプレス成形レンズ方法に関するものである。
【背景技術】
【０００２】
デジタルカメラやプロジェクターに用いられる非球面ガラスレンズの製造方法には研削方法と金型を用いてプレス成形を行う方法があるが、安価に大量に製造するためにはプレス成形工法が有利である。非球面ガラスプレス成形レンズでは凸レンズ、凸メニスカスレンズや凹メニスカスレンズなど様々な形状のレンズを作製することが可能である。
【０００３】
昨今、凸レンズやコバなし凹メニスカスレンズでは工程を削減するために、心取りを行わない心取りレスレンズの実用がなされている（例えば、特許文献１、２、３参照。）。コバ付き凹メニスカスレンズは図６のような従来の金型構造でレンズをプレス成形するため、プレス成形後のレンズは図５のような不要部分が発生し、心取り加工が必要になる（図５の斜線部分が削除部分）。
【特許文献１】特開２００７−７０２１５号公報
【特許文献２】特開平１１−３２２３４号公報
【特許文献３】特開平１１−２３６２３０号公報
【特許文献４】特開２００７−９１５６８号公報
【発明の開示】
【発明が解決しようとする課題】
【０００４】
解決しようとする問題点はコバ付き凹メニスカスレンズの心取りが必要であること。
【課題を解決するための手段】
【０００５】
本発明は、上金型に極小Ｒ金型を用いることを主要な特徴とする。
【発明の効果】
【０００６】
凸状金型の成形面とフラット部に極小Ｒを設けた金型を使用することにより、本発明のガラス成形レンズの成形方法は、成形後レンズがそのまま所望の形状になるので心取り加工が不要になる。これにより工数の削減と心取りにより廃棄していたガラスが不要になり環境にもやさしい工法となる。また、不要部分のガラス重量を削減でき、コスト削減できる。
【発明を実施するための最良の形態】
【０００７】
成形後のレンズの心取りを行わずに所望の形状を得られる。
【０００８】
（実施の形態１）
図１は本発明の心取りレスコバ付凹メニスカスレンズの実施の形態１の断面図であって、
図２は図１を作製するための金型組図の断面図である。図２のような金型構造を用いることにより、金型の構造がそのまま所望のレンズ形状になるので成形後のレンズは心取りせずにコバ付凹メニスカスレンズが容易に完成する。図１、２の極小Ｒ２の範囲はそのレンズ形状で決まり、今回はそのレンズ形状からＲ０．５にて実施した。
【０００９】
（実施の形態２）
図３は本発明の心取りレスコバ付両凹レンズの実施の形態２の断面図であって、図４は図３を作製するための金型組図の断面図である。図４のような金型構造を用いることにより、金型の構造がそのまま所望のレンズ形状になるので成形後のレンズは心取りせずにコバ付両凹レンズが容易に完成する。
【産業上の利用可能性】
【００１０】
本発明にかかるガラス成形レンズの成形方法は、コバ付き凹メニスカスレンズの心取りレス化による工数削減・コスト削減・環境にやさしい工法として利用できる。
【図面の簡単な説明】
【００１１】
【図１】本発明の実施の形態１に於ける成形後レンズ（心取りレス）断面の説明図
【図２】本発明の実施の形態１の心取りレスレンズを作製するための金型組立断面の説明図
【図３】本発明の実施の形態２に於ける成形後レンズ（心取りレス）断面の説明図
【図４】本発明の実施の形態２の心取りレスレンズを作製するための金型組立断面の説明図
【図５】従来の成形後凹メニスカスレンズ断面の説明図
【図６】従来の金型構成断面の説明図
【符号の説明】
【００１２】
１    凹メニスカスレンズ
２    極小Ｒ
３    心取り削除部分
４    上金型
５    下金型
６    第一の胴型
７    第二の胴型
８    両凹レンズ
【図１】
2009035443.tif 000003
【図２】
2009035443.tif 000004
【図３】
2009035443.tif 000005
【図４】
2009035443.tif 000006
【図５】
2009035443.tif 000007
【図６】
2009035443.tif 000008
(57)【要約】【課題】  本発明の目的は、テストステロン５α−レダクターゼにより活性化された５α−ＤＨＴのアンドロゲン受容体結合阻害作用を有する新規な動物胎盤抽出物を見いだし、安全な抗男性ホルモン剤を提供すると共に、予防のための養毛化粧料を提供することにある。【解決手段】  本発明に係るアンドロゲン受容体結合阻害剤は動物胎盤抽出物よりなることを特徴としている。【選択図】図１、２
2009035527.tif 000002
【特許請求の範囲】
【請求項１】
豚胎盤抽出物、馬胎盤抽出物よりなるアンドロゲン受容体結合阻害剤。
【請求項２】
豚胎盤抽出物、馬胎盤抽出物よりなるアンドロゲン受容体結合阻害作用を有することを特徴とする抗男性ホルモン剤。
【請求項３】
豚胎盤抽出物、馬胎盤抽出物よりなるアンドロゲン受容体結合阻害剤を含有することを特徴とする養毛化粧料。
【発明の詳細な説明】
【発明の詳細な説明】
【技術分野】
【０００１】本発明は、アンドロゲン受容体結合阻害剤、抗男性ホルモン剤、養毛化粧料に関する。具体的に言うと、テストステロンがテストステロン５α−リダクターゼの作用を受け活性型５α−ジヒドロテストステロン（活性型５α−ＤＨＴ）に還元されると、５α−ＤＨＴが細胞内の受容体と結合し転写を介して性の分化や性徴の発現といった強いアンドロゲンの生理作用を発現する。加齢にしたがい、男性では男性ホルモンのバランスの乱れから、前立腺肥大症、前立腺癌、男性型禿頭、多毛症、などの男性ホルモン亢進に由来する疾患が増加している。
本発明は５α−ＤＨＴが、アンドロゲン受容体への結合を阻害する作用を有する動物胎盤抽出物よりなる新規な抗男性ホルモン剤及びアンドロゲン受容体結合阻害剤を利用した養毛化粧料に関する。
【背景技術】
【０００２】  多くのステロイドホルモンは産生臓器から分泌された分子型で受容体と結合してその作用を発現するが、アンドロゲンと総称される男性ホルモンの場合、たとえばテストステロンは標的臓器の細胞内に入ってテストステロン５α−レダクターゼにより５α−ジヒドロテストステロン（５α−ＤＨＴ）に還元されてから受容体と結合し、としての作用を発現する。【０００３】  アンドロゲンは重要なホルモンであるが、それが過度に作用すると、前立腺肥大症、前立腺癌、男性型禿頭、多毛症などを誘発する。そこで、従来から、これらの症状を改善するために過剰のアンドロゲンの作用を抑制する方法、具体的には、テストステロンを活性型５α−ＤＨＴに還元するテストステロン５α−レダクターゼの作用を阻害することにより活性な５α−ＤＨＴを生じるのを抑制する方法と、テストステロンから生じた５α−ＤＨＴが受容体と結合するのを阻害することによりアンドロゲン活性を発現させない方法とが検討され、その結果シプロテロンアセテート、オキセンドロン、酢酸クロルマジノン等の有効性が確認された。【０００４】  しかしながら、これらはステロイドホルモン誘導体であるため、ホルモン様作用等の好ましくない副作用を有するという欠点があった。
【発明の開示】
【発明が解決しようとする課題】
【０００５】  本発明の目的は、テストステロン５α−レダクターゼにより活性化された５α−ＤＨＴのアンドロゲン受容体結合阻害作用を有する新規な動物胎盤抽出物を見いだし、安全な抗男性ホルモン剤を提供すると共に、予防のための養毛化粧料を提供することにある。
【課題を解決するための手段】
【０００６】  本発明に係るアンドロゲン受容体結合阻害剤は動物胎盤抽出物よりなることを特徴としている。
【発明を実施するための最良の形態】
【０００７】  以下に、本発明について更に詳細に説明すると、本発明に係るアンドロゲン阻害剤は、動物の胎盤酵素等で抽出したエキスからなるものであって、活性化された５α−ＤＨＴをアンドロゲン受容体に結合するのを阻害するものである。
本発明においては、使用できる胎盤は豚、馬、などの哺乳類を主に使用するが、この限りではない。【０００８】  また、胎盤抽出物は、一般的な製剤化による公知の方法により単独で、あるいは適当な助剤を用いて、内服液剤、内服固形剤、注射剤、座剤等各種製剤化され、化粧料、医薬部外品、医薬品等の構成成分として広く利用することができる。
養毛化粧料としては、例えば、ヘアトニック、ヘアクリーム、ヘアリキッド、ヘアローション、ヘアシャンプー、ヘアリンス等、任意の剤形が可能である。【０００９】  製剤中における胎盤抽出物の配合量は、適宜、使用目的、性別、症状等を考慮して検討すればよいが、胎盤抽出物の量として約０．００５〜７０重量％である。
【実施例】
【００１０】以下、本発明に係る実施例を示し、本発明について更に詳細に説明する。【００１１】  アンドロゲン受容体結合阻害作用の試験実施例１による胎盤抽出物について、下記の試験法によりアンドロゲン受容体結合阻害作用を試験した。【００１２】  東北大学加齢医学研究所付属医用細胞資源センターより供与頂いたアンドロゲン依存性ヒト前立腺癌細胞株ＬＮＣａＰ．ＦＧＣ（ＴＫＧ０６０３）を、１０％ＦＣＳ含有ＲＰＭＩ−１６４０培地（以下前培養培地）を用いて１．０×１０４ｃｅｌｌｓ／ｍＬの細胞密度にて１２穴マイクロプレートに播種、３７℃、５％Ｃ０２−９５％ａｉｒの下で７２ｈｒ培養した。前培養培地を吸引除去後、内因性の５α−ＤＨＴを除くため活性炭処理したＦＣＳを０．５％含むＲＰＭＩ１６４０培地（アッセイ培地）を１ｍＬ加え、２４時間後、アッセイ培地を吸引除去した。これに、アッセイ培地と２５０ｎＭのＤＨＴを添加したアッセイ培地を用いて、凍結乾燥した胎盤エキスを溶解し１ｍＬ加え、７２ｈｒ培養を行った。
培養終了後にアッセイ培地０．５ｍＬにＷＳＴ（同仁化学）２０μＬの割合で加えた培地０．５ｍＬ加えて３７℃３ｈｒ培養を行った。生じた水溶性ホルマザンを４５０ｎｍの吸光度をマイクロプレートリーダーで測定した。【００１３】  抗アンドロゲン作用を示す結合阻害率を次式により算出した。
結合阻害率（％）＝｛１−（Ｃ−Ｄ）／（Ａ−Ｂ）｝×１００
但し、Ａ：ＤＨＴ添加、試料無添加の場合の吸光度Ｂ：ＤＨＴ無添加、試料無添加の場合の吸光度Ｃ：ＤＨＴ添加、試料添加の場合の吸光度Ｄ：ＤＨＴ無添加、試料添加の場合の吸光度【００１４】図１、図２より、胎盤抽出物が濃度依存的にアンドロゲン結合阻害作用を有することが確認された。
【発明の効果】
【００１５】本発明は、副作用が少なく新規なアンドロゲン受容体結合阻害剤を提供することができる。この阻害剤により、抗男性ホルモン剤として、前立腺肥大症、前立腺癌、男性型禿頭、多毛症などの改善あるいは予防に大きく貢献できる。
【図面の簡単な説明】
【００１６】
【図１】プラセンタによるアンドロゲン依存性ヒト前立腺癌細胞の増殖阻害
【図２】プラセンタエキスの抗アンドロゲン作用
【図１】
2009035527.tif 000003
【図２】
2009035527.tif 000004
(57)【要約】      （修正有）【課題】人体のような複雑な三次元曲面に違和感なく安定的に装着できるような磁性体を提供する【解決手段】粒径は約１〜１０μｍ程度の好ましくは鉄（フェライト）からなる磁性体微粉末１を繊維化可能な合成繊維原料２中に１〜１０％程度混合し、繊維生成用ノズルより押出し、繊維化して成るフィラメント。及び、これを用いて織物加工した織物類に強力な磁場を与え、以て着磁体とする。該フィラメントを用いることで、通常の織物類とほとんど同じ感覚で着磁体を二次製品化できる。【選択図】図１
2009035850.tif 000002
【特許請求の範囲】
【請求項１】
磁性体微粉末を混合した合成繊維原料を繊維化して成るフィラメント。
【請求項２】
請求項１記載のフィラメントを用いて織物加工した織物類。
【発明の詳細な説明】
【技術分野】
【０００１】  この発明は、必要に応じ直ちに着磁できるフィラメント（単繊維）及び織物類（糸類も含む）に関する。
【背景技術】
【０００２】  筋肉痛その他の諸症状を緩和させるために様々な貼付材や塗布材、或いは特殊絆などが各種用いられているのは周知の通りである。皮膚に軟膏類を直接塗り、或いはガーゼに塗ってこれを貼付するのもそれらの一つであるが、最近ではその軟膏類の中にフェライトのような磁性体の粉末を混合し、これを着磁することによって、患部に磁場を面状に与える試みもなされている。
【発明の開示】
【発明が解決しようとする課題】
【０００３】  このような磁性体粉末を混合した貼付材は本発明者も既に各種試みているが、実際に使用するにあたり、軟膏類の塗布作業がかなり面倒であるばかりか、磁性体粉末は一般に黒色を呈するため、あたかもペンキを塗る作業のように周辺を汚したり、その汚れがなかなか落ちないなどの問題点があった。【０００４】  そこで本発明者は、使用時に塗布作業を要せず、周辺も汚さない着磁可能な貼付材を提供すべく、表裏層を布状体とし、中間層を磁性体粉末が混合されたエラストマーとした、サンドイッチ構造のシート状物を考案し作成して、ある程度の評価を得た。【０００５】  ところがこのようなシート状物は平面上に敷いたり円筒面に巻き付けたりするには適しているものの、人体のような複雑な三次元曲面に逸脱しないように当てがうことには甚だ不具合であった。従ってこのような問題点を無くし、人体の必要な箇所に違和感なく安定的に装着できるような磁性体を提供することが、本発明の課題である。
【課題を解決するための手段】
【０００６】  先ず磁性体微粉末１を混合した合成繊維原料２を繊維化し、フィラメント（単繊維）とする。磁性体としては鉄（フェライト）、ニッケル、ネオジウム等、周知のもので良いが、コストや加工性などの点からフェライトが好ましい。その粒径は約１〜１０μｍ程度が一般的で、これをポリエステルや再生ＰＥＴ樹脂、或いはレーヨン用原料（本願においてはこれも合成繊維原料２の範疇に含まれるものとする）などのような繊維化可能な合成繊維原料中に約１〜１０％程度混合して繊維生成用ノズルより押出し、公知の手段により繊維化する。【０００７】  このフィィラメントを用いて織物加工すると、糸、更には布類からあらゆる衣服類に至るまでの様々な織物類が得られる。このような織物類は、よく知られている衣服等と同様、全く違和感なく身体に適合した様々な形態に形成できると同時に、ごく簡単に身体に装着できるものに仕上げられる。【０００８】  このようにして仕上げられた衣服等の織物類は、これに強力な磁場を与えることにより磁気を帯びた繊維製品に変身するから、前記のような所期の目的に添ったものにすることができる。
【発明の効果】
【０００９】  本発明によれば、通常の織物類とほとんど同じ感覚で着磁体を二次製品化できるから、身体の所望する箇所に面状に磁気を長時間与えることがユーザーにとって全く違和感なく楽に行われるようになり、その適用範囲を著しく拡大させることができるという甚大な効果がある。
【発明を実施するための最良の形態】
【００１０】  合成繊維用ポリエステルに粒径１〜３μｍ程度のフェライト粉末を約５Ｗ％混合して既存の繊維化工程により太さ約１０μｍのフィラメントに形成する。これを用いて不織布状に加工したり、或いは糸や織物状に加工し、更に目的に応じ各種サポーターや衣服のような形態ににじ加工する。しかる後、電磁石或いはネオジウム磁石等を用いてかかる生地の全体又は要所を磁化し、製品化する。【００１１】  出来上がった製品は、すでにあるサンドウィッチ構造の磁気シートと同様、面状にマイルドな磁気を帯びたものとなり、厚み（重さ）はより薄く（軽く）て通気性があって、ほとんどいかなる立体形状にも二次加工が可能で、個々の人体にフィットしたものに仕上がり、また磁気の減衰率も１ケ月に１％以下にすぎないことが判明した。ちなみに試作品は痛みや血行不良等に悩む人などに甚だ好評であった。
【産業上の利用可能性】
【００１２】  本発明の着磁可能な織物類は、既存の磁気ケア療法の概念を大幅に改善するもので甚だニーズが高いと同時に、その製造は既存の繊維技術で十分に量産可能なものであるから、産業上の利用可能性は十分にあるといえる。
【図面の簡単な説明】
【００１３】
【図１】本発明のフィラメントを示す部分拡大断面図
【符号の説明】
【００１７】  １……磁性体微粉末
２……合成繊維原料
【図１】
2009035850.tif 000003
(57)【要約】      （修正有）【課題】貴重品である携帯電話、ＩＤカード、電子パスを携行するための新規の方法として、携帯電話、ＩＤカード、電子パス収納出来るネクタイ、ネッカチーフを提供する。【解決手段】ネクタイの大検部分に携帯電話、ＩＤカード、電子パスを収納できるポケット部を透明な素材またはメッシュ素材で形成することで見やすくする。尚、ネクタイをリバーシブル可能に形成することで、結び方によって、ポケットに位置を表側と裏側に変えることが出来る。【選択図】図１
2009035848.tif 000002
【特許請求の範囲】
【請求項１】
携帯電話器、電子パス、ＩＤカード等の収納と使用のため透明な素材またはメッシュ状素材で  ポケットが設けられていることを特徴とするネクタイまたはネクタイ風服飾品。
【請求項２】
リバーシブルな構造であり、結び方によってポケットの位置を大剣部の表側または裏側に変えることができる請求項１の特徴を持つネクタイまたはネクタイ風服飾品。
【請求項３】
請求項１および請求項２の特徴を持つネッカチーフまたはネッカチーフ風服飾品。
【発明の詳細な説明】
【技術分野】
【０００１】本発明は服飾品としてのネクタイまたはネッカチーフに、収納のための構造を附加し携帯電話等の情報機器、また電子パス、ＩＤカード等の携帯、使用の便宜に役立てるものである。
【背景技術】
【０００２】ネクタイに実用的な機能を持たせようする発想はすでに複数例が存在する。特願２００１−１８５６１１は物入れとして使用ができるようにネクタイの裏面に開口部と袋を設けたもの。また特開２００５−３２１９９６はネクタイに無線タグを付設して入退場の管理作業を行なうというもの。特開２００５−２４０２５９はカードや切符などの収納取り出しのため一枚のネクタイ生地によりポケット形成したものなどである。
【発明が解決しようとする課題】
【０００３】ネクタイは主として男性がフォーマルな身だしなみの目的のに使用する、いわば貴重な役割を持つ服飾品である。この品物に実用的な機能を持たせ活用するのであれば本来の服飾価値を損ねずに、なおかつ新規な発想が必要となる。
【０００４】私的な生活の場にあってはマンションのカギなど保安＝セキュリテイに重要な器具の保管場所には不自由しない。その場所がテレビの傍、また台所の片隅であろうとそれほどの問題は生じない。しかし家庭から１歩外に出れば状況は一変し、そこには迅速な対応を求める様々な認証機器が存在する。そのために誰もが対応のための必需品をすぐ取り出し使用できる方法で携帯しなければらない。例えば駅の改札を通過するのに電子カード、会社の通用口ではＩＤカードが必要となる。また移動中の連絡ためには携帯電話も必携品である。
【０００５】それらの機器、カード類は通常、男性の場合、衣服のポケット、女性の場合はハンドバッグに入れての携行が現在でも普通である。しかし、そのような従来の収納と携行の方法だけでは様々な認識機器、情報機器に対応するのに容易でない状況がすでに生まれている。よって、新規な対応手段の創出が必要とされる。
【課題を実施するための手段】
【０００６】上述の問題を解決するために従来フォーマルな身繕いのために、いわば形式的な用途にのみに用いられてきたネクタイを認識用電子カード、携帯機器の収納と携行に役立てる手段を提案する。もしこの手段が認知され普及すれば最も肌身に近い最も安全な場所に位置する当服飾品の利用価値はきわめて大きいといえる。
【本発明の実施の形態】
【０００７】ネクタイの大剣部にポケット部分を設けて携帯電話、ＩＤカード、電子パス等の収納、携行に用いる。またネクタイは裏表の無い、いわゆるリバーシブルなもの（請求項２）を用いれば必要に応じて、ポケット部分をネクタイ大剣部の上面あるいは裏面のいずれかの好ましい位置に置くこともできる。ポケット部分が透明な素材で作られているものを使用し、この場所に例えばスイカ（ＳＵＩＣＡ）を収納すればポケット部分から取り出すことなく、そのまま駅の改札口の読み取り器にタッチするだけで通過できる。またＩＤカードをこの部分に収納すれば会社通用門での認識装置にかざすだけで通過できる。この方式を採用すれば吊り紐でＩＤカードを全員が首から下げる会社でのセキュリテイ方式も見苦しいものでないフォーマルな形のものに統一し管理できる。また携帯電話もこのポケット部分に収納し携行すれば、とっさの使用のたびに着衣のポケットから取り出すなどの手間も不要となる。ポケット部分が透明なものを使用すればフラットまたスライド式の電話機であればネクタイに収納したままでメールは読み取れるし簡単な操作もできる。携帯電話は厚さ約１０ミリ、重量も１００グラムを切るものさえ次々と出現しているのでネクタイのポケットに収容し携行しても首に負担を掛けることはない。取り出す際の万一の脱落を気にするなら補助具の吊り紐で首に掛けネクタイのポケットに入れればよいし、またはポケット入り口にファスナーをつければよい。
【産業上の利用の可能性】
【０００９】従来の単なる服飾品としてのネクタイに新規な利用価値を加えることで業界に新しい需要が生まれる可能性がある。新規な構造と機能が認識され国内で普及し、またデザインの優れたものを作れば海外でも売れる可能性がある。
【図面の簡単な説明】
【図１】は実施例を示す正面図である。（Ａ）はネクタイ本体  （Ｂ）はポケット
【図１】
2009035848.tif 000003
(57)【要約】【課題】  車両に乗車した際、吊り革など体を支えるための物体を掴んでいる時に発生する車両の揺れによる煩わしさ、手の痛みを解消すること。【解決手段】親指を除く指先と手首付近に留め具を設け、手首に締め付け具を設ける。さらに手のひら部分に衝撃吸収材を加えた留め具及び締め付け具、衝撃吸収材付き手袋1などにより、この課題を解決する。【選択図】      図１
2009035845.tif 000002
【特許請求の範囲】
【請求項１】
親指を除く指先と手首上部に留め具を設けたことを特徴とする手袋。
【請求項２】
手のひら部分に衝撃吸収材を設けたことを特徴とする手袋。
【請求項３】
手首に締め付け具を設けたことを特徴とする手袋。
【発明の詳細な説明】
【技術分野】
【０００１】
本発明は、手袋に関するものであり、指先と手首付近に工夫を加え、衝撃吸収材を用いることによって、手の負担を軽減するようにしたものである。
【背景技術】
【０００２】
従来から、防寒や保護、装飾として手袋が利用されている。この例として、特許文献1に開示されているものがある。
【特許文献１】特開平11−229210 平成11年8月24日号公報
【発明の開示】
【発明が解決しようとする課題】
【０００３】
しかし、従来のような手袋を使用した際、もしくは素手の場合、車両に設置されている吊り革など、体を支えるための物体を掴んでいる最中に乗車している車両が揺れた際、倒れないようにしっかりとその体を支えるための物体を掴まなくてはいけなかった。移動手段である車両では頻繁に揺れが発生してしまうため非常に煩わしい。特に眠い時に車両に乗った際には、その煩わしさが顕著に現れる。その上、掴んでいる手のひらに体の重みが加わるため、痛みが発生してしまう。又、長時間乗車しなければいけない場合、手のひらの痛みは乗車時間に比例して増加してしまう。本発明はこのような車両に乗車する際の煩わしさ、痛みを解決することを課題とする。
【課題を解決するための手段】
【０００４】
手袋の親指を除く指先と手首上部にファスナー等の留め具を設け、手首に紐等の締め付け具を設ける。さらに手の平部分にインソール等の衝撃吸収材を加える。本発明は、以上の構成よりなる留め具及び締め付け具、衝撃吸収材付き手袋である。
【発明の効果】
【０００５】
吊り革など体を支えるための物体を通常通り掴んだ後、親指を除く指先に設けられた留め具と、手首付近に設けられた留め具を噛み合わせ、手首に設けられた締め付け具を利用して、手首と手袋内部をより密着させる。それによって手に力を加えなくても体が支えられることとなり、車両の揺れによる煩わしさが解消される。又、手首に設けた紐等の締め付け具により、強い揺れによって手袋から手が抜けてしまう恐れも解消できる。手のひら部分に設けられた衝撃吸収材により、手のひらに加わる体の重みを軽減し、結果痛みを軽減することが可能となる。
【発明を実施するための最良の形態】
【０００６】
以下、本発明を実施するための最良の形態について説明する。手袋に親指を除く指先と手首上部にファスナー等の留め具を設け、手首に紐等の締め付け具を設ける。さらに手の平部分にインソール等の衝撃吸収材を加える。
【０００７】
本発明品を装着したままつり革等体を支えるための物体を掴み、掌部分に付属している留め具(１)と(2)により固定する。さらに留め具(３)と(４)を噛み合わせ、留め具(１)と(２)の補助の役目をさせる。そして締め付け具(６)と(７)を接着させる。これによって手に力を加えなくても体が支えられることとなり、車両の揺れによる煩わしさが解消される。又、手首に設けた紐等の締め付け具により、強い揺れによって手袋から手が抜けてしまう恐れも解消できる。
【０００８】
これら手袋の材料は、ごく一般的に使用されているものでよい。また、接着部分(１)と(２)の強度によっては、補助である接着部分(３)と(４)を取り除いてもかまわない。
【産業上の利用可能性】
【０００９】
本発明に係る手袋は、工業的に量産することが可能であるため、産業上の利用可能性を有する。
【図面の簡単な説明】
【００１０】
【図１】留め具及び締め付け具、衝撃吸収材付き手袋の正面図である。
【図２】留め具及び締め付け具、衝撃吸収材付き手袋の右側面図である。
【図３】留め具及び締め付け具、衝撃吸収材付き手袋の左側面図である。
【符号の説明】
【００１１】
１    留め具による、２との接着部分
２    留め具による、１との接着部分
３    １、２を補助及び安全のために付けた、留め具による4との接着部分
４    １、２を補助及び安全のために付けた、留め具による3との接着部分
５    手袋から抜けないための6と接着する締め付け具
６    手袋から抜けないための５と接着する締め付け具
７    衝撃緩和材
【図１】
2009035845.tif 000003
【図２】
2009035845.tif 000004
【図３】
2009035845.tif 000005
(57)【要約】      （修正有）【課題】学校の授業や法要などで使用後の汚れたエプロンの持ち運びに役立ち、エプロンを持ち運ぶために用意した袋の紛失を防ぐことができる収納袋付きエプロンを提供する。【解決手段】エプロン（１）のウエスト部分の裏側に、胸当て部分と同じ幅の収納袋（２）を設けることにより、収納袋（２）にエプロン（１）を収納できる収納袋付きエプロンとする。【効果】置き場所も要らず紛失の恐れもない。エプロン取り出し後の収納袋は、ポケットとしても使用できる。【選択図】図１
2009035851.tif 000002
【特許請求の範囲】
【請求項１】
エプロン（１）の裏側に収納袋（２）を設け、エプロン（１）をたたむと収納袋（２）にそのまま収納できる収納袋付きエプロン。
【発明の詳細な説明】
【技術分野】
【０００１】  この発明は、エプロンの裏側に収納袋を設け、エプロンを折りたたむとそのまま袋の中へ収納できる収納袋付きエプロンに関するものである。
【背景技術】
【０００２】  従来、エプロンと収納袋は別々になっていた。
【発明の開示】
【発明が解決しようとする課題】
【０００３】  これは、次のような欠点があった。
従来、エプロンは学校の授業や法要などで使用後汚れたまま持ち帰るようだった。また、別の袋などに入れて持参した場合は袋などの置き場所に困ったり、紛失してしまうことが多かった。
本発明は、以上のような欠点をなくすためになされたものである。
【課題を解決するための手段】
【０００４】  エプロン（１）の裏側に収納袋（２）を設ける。
本発明は、以上の構成よりなる収納袋付きエプロンである。
【発明の効果】
【０００５】  収納袋がエプロンと一体になっているので、袋の置き場所も要らず紛失の恐れもない。また、エプロン使用後は汚れている面を内側に折りたたみそのまま収納することができる。
【発明を実施するための最良の形態】
【０００６】  以下、本発明を実施するための最良の形態について説明する。
エプロン（１）のウエスト部分の裏側に、胸当て部分と同じ幅の収納袋（２）を設ける。
本発明は、以上のような構成である。
これを使用するときは、エプロンと一体になった収納袋から、エプロンを取り出して使用する。エプロン取り出し後の収納袋は、ポケットとしても使用できる。
【実施例】
【０００７】  他の縫合場所として、エプロン（１）の胸当て部分の裏側に収納袋（２）を設ける収納袋付きエプロン。
【図面の簡単な説明】
【０００８】
【図１】本発明の斜視図である。
【図２】本発明の拡大図である。
【符号の説明】
【０００９】    １  エプロン
２  収納袋
【図１】
2009035851.tif 000003
【図２】
2009035851.tif 000004
(57)【要約】【課題】この発明は、酸素発生型光合成生物の海産性シアノバクテリア（藍藻とも言う）、アカリオクロリス属に含まれるクロロフィルｄの持つ、近赤外光での光合成効果を利用する乾燥粉末化二酸化炭素吸収材を提供する。【解決手段】この発明は、乾燥粉末化させ、ｐｈを微アルカリ側に置いた海洋性シアノバクテリア、アカリオクロリス属を二酸化炭素吸収材とする。雨水で活性化させ、アカリオクロリス属に含まれるクロロフィルｄの持つ近赤外光（波長７００ｎｍ以上）で光合成をおこなう特徴を利用し、可視光線の届かない場所で光合成を行わせることで、酸素を放出させ、カルビンーベンソン回路によって固定化される二酸化炭素を糖等の有機物として排出させ、増殖させることで、二酸化炭素を直接吸収する二酸化炭素吸収材として、二酸化炭素削減に貢献するものである。【選択図】なし【特許請求の範囲】
【請求項１】
可視光線の届かない場所でも光合成を行う、ｐｈを微アルカリ側に置いた海産性シアノバクテリア、アカリオクロリス属を乾燥粉末化させた二酸化炭素吸収材。
【請求項２】
請求項１の乾燥粉末化させた二酸化炭素吸収材を使用する二酸化炭素吸収シート。
【請求項３】
請求項１の乾燥粉末化させた二酸化炭素吸収材を使用する、吸水性を有する二酸化炭素吸収タイル。
【請求項４】
請求項１の乾燥粉末化させた二酸化炭素吸収材を使用する、吸水性を有する二酸化炭素吸収モルタル。
【発明の詳細な説明】
【技術分野】
【０００１】
この発明は、酸素発生型光合成生物の海産性シアノバクテリア（藍藻とも言う）、アカリオクロリス属に含まれるクロロフィルｄの持つ、近赤外光での光合成効果を利用する、乾燥粉末化二酸化炭素吸収材である。
【背景技術】
【０００２】
近年、地球温暖化の進行にともない、二酸化炭素を中心とする温室効果ガス削減が地球規模での大きな課題とされる。森林破壊による光合成植物の減少、海洋における二酸化炭素の吸収攪拌効果の進行速度、などの自然現象による二酸化炭素固定システムの早期回復が望めない現在、排気ガス等からの直接的な二酸化炭素の吸収技術や、大気からの吸収技術などの人工的な二酸化炭素吸収技術が必要とされる。
【０００３】
二酸化炭素排出抑制技術や、バイオマスエネルギー関連技術の発展にともない、二酸化炭素排出量の抑制は可能になってきているが、二酸化炭素の削減に効果のある森林資源の増加などは、経済発展の必要性から、いまだ可能性が見えない現状である。
【０００４】
排気ガスや大気中から二酸化炭素を吸収する材料は提案されている。たとえば、リチウムの複酸化物から形成される二酸化炭素吸収材料（特許文献１,２参照）。リチウムフェライトに吸収させる二酸化炭素吸収材料（特許文献３参照）などである。
【特許文献１】特開平１１―９０２１９号広報
【特許文献２】特開２００１―２３２１８４号広報
【特許文献３】特開２００６―１９８５５０号広報
【０００５】
しかしながら、特許文献１,２,３とも金属化合物等の吸収材料であり、自然環境を考えた場合、自然の材料を使うことが大事である。
【発明の開示】
【発明が解決しようとする課題】
【０００６】
この発明は、上記の実情の下、金属化合物等の材料を使わず、自然界に生きている原核生物であるシアノバクテリアを乾燥粉末化して使い、二酸化炭素吸収材とすることを課題とする。
【課題を解決するための手段】
【０００７】
上記課題を解決するために、この発明は、乾燥粉末化させ、ｐｈを微アルカリ側に置いた海洋性シアノバクテリア、アカリオクロリス属を二酸化炭素吸収材とする。
【０００８】
雨水で活性化させ、アカリオクロリス属に含まれるクロロフィルｄの持つ近赤外光（波長７００ｎｍ以上）で光合成をおこなう特徴を利用し、可視光線の届かない場所で光合成を行わせることで、酸素を放出させ、カルビンーベンソン回路によって固定化される二酸化炭素を糖等の有機物として排出させ、増殖させることで、二酸化炭素を直接吸収する二酸化炭素吸収材として、二酸化炭素削減に貢献するものである。
【発明の効果】
【０００９】
この発明による二酸化炭素吸収材により、自然現象による二酸化炭素固定システムを人工的に補うことができ、酸素供給により二酸化炭素大気濃度を改善することが出来る。
【発明を実施するための最良の形態】
【００１０】
上記方法では、乾燥粉末化させたシアノバクテリアを使用するが、シアノバクテリアはおよそ３０億年もの太古から生息してきた原核生物であり、光合成、すなわち太陽エネルギーによって二酸化炭素と水から酸素と糖等の有機物を合成する反応を利用しながら、地球上の大気形成を行ってきた酸素発生型光合成生物である。
【００１１】
光合成とは、クロロフィル類が光エネルギーを使って水を分解し、チラコイド反応（明反応とも言う）で酸素を発生させる酸化還元反応と、チラコイド反応で得られたＮＡＤＰＨ（脱水素に関する補酵素）とＡＴＰ（アデノシン三リン酸）を使って二酸化炭素を原料として糖類を作るカルビンーベンソン回路（暗反応とも言う）の炭素固定反応を行う光化学反応のことを言う。
【００１２】
クロロフィル類には、ａ.ｂ.ｃ.ｄがあり、クロロフィルａ.ｂ.ｃは可視光線が必要であるが、クロロフィルｄだけが見えない光、近赤外光（波長７００ｎｍ以上）下での光合成を行う。クロロフィルｄを持つ唯一の生物が、酸素発生型光合成生物である海産性シアノバクテリア、アカリオクロリス属である。
【００１３】
可視光線の届かない場所でも、アカリオクロリス属の光合成に必要な、波長の長い近赤外光であれば十分届き、繁殖できる特性を生かしたのが、この発明である。
【実施例１】
【００１４】
可視光線の届かない場所でも光合成を行う、ｐｈを微アルカリ側に置いた海産性シアノバクテリア、アカリオクロリス属を乾燥粉末化させた二酸化炭素吸収材。              
【実施例２】
【００１５】
実施例１の乾燥粉末化させた二酸化炭素吸収材を使用する、吸水性を有する二酸化炭素吸収シート。
【実施例３】
【００１６】
実施例１の乾燥粉末化させた二酸化炭素吸収材を使用する、吸水性を有する二酸化炭素吸収タイル。
【実施例４】
【００１７】
実施例１の乾燥粉末化させた二酸化炭素吸収材を使用する、吸水性を有する二酸化炭素吸収モルタル。
(57)【要約】【課題】スムーズにパスポートやカードなどの重要性の高い収納物の出し入れすることができ、且つスリ被害などの外部から侵襲に対して安全性の高いポケットを付設した被服を提供すること。【解決手段】胴部分２と袖部分３をもつ袖つきの被服１において、袖部分３の上腕部内側で被服着用者の腋側位置に袖腋部内ポケット２２と袖部分３の袖口部内側で被服着用者の手首内側位置に袖口部内ポケット２３を設ける。  この発明の被服は、仮に第三者（スリ）がカミソリ刃などを使ってポケット部分を外側から切開しようとしても被服着用者の上腕部分や手首部分が邪魔となってポケット部分を切開することができない。したがってこれらのポケットを使用すればスリ被害の多い一部の海外地域においてもパスポートやカードなどの重要物品をスリ被害から守ることができる効果がある。【選択図】        図１
2009007708.tif 000002
【特許請求の範囲】
【請求項１】
胴部分（２）と袖部分（３）をもつ袖つきの被服（１）であって、前記袖部分（３）の上腕部内側で被服着用者の腋側位置に袖腋部内ポケット（２２）を設けたことを特徴とする被服。
【請求項２】
胴部分（２）と袖部分（３）をもつ袖つきの被服（１）であって、前記袖部分（３）の袖口部内側で被服着用者の手首内側位置に袖口部内ポケット（２３）を設けたことを特徴とする被服。
【請求項３】
胴部分（２）と袖部分（３）をもつ袖つきの被服（１）であって、前記袖部分（３）の上腕部内側で被服着用者の腋側位置に袖腋部内ポケット（２２）と前記袖部分（３）の袖口内側で被服着用者の手首内側位置に袖口部内ポケット（２３）を設けたことを特徴とする被服。
【発明の詳細な説明】
【技術分野】
【０００１】
本願発明は、スーツ上着やＹシャツなどのような袖つきの被服に関するものである。
【背景技術】
【０００２】
スーツ上着やＹシャツなどのような被服にポケットを付設する場合、通常は胸部外面や胴部側面など被服着用者が外から手指を挿入し易い位置にポケットを付設するのが一般的である。ところで、被服着用者が外から手指を挿入し易いということは、スリなどの第三者もポケットに手指を挿入し易いということであり、このことから海外旅行中においてはスリ被害によりパスポートやカード入り財布を紛失するという深刻な事例が跡を絶たないのが現状である。
【発明の開示】
【発明が解決しようとする課題】
【０００３】
従来からスーツなどの上着の胸部内側に内ポケットを設けてスリ被害を防止し得るようにしたものはあるが、この場合でも、その内ポケットは通常の場合、被服着用者の胸部前面側にあって鋭利な刃物（カミソリ刃など）を使用すれば気付かないうちにスリ取られてしまうということがある。
【０００４】
また、スリ被害に遭わないようにするために、スボンのベルト着用部裏側にポケットを付設したものも従来から存在するが、この場合には、スリ被害防止には有効であっても、パスポートやカード入り財布などのポケット内収納物を出し入れする際にベルトをゆるめてズボンの内側へ手指を挿入しなければならず、出入国審査場などの公共の場所では見苦しく、必ずしも適切な方法ではない。
【０００５】
本願発明は、上記のような事情に鑑みてなされたもので、スムーズに収納物の出し入れができ且つ安全性の高いポケットを設けた被服を提供することを目的とするものである。
【課題を解決するための手段】
【０００６】
本願発明の被服は、図１に例示するように胴部分２と袖部分３をもつスーツ上着やＹシャツなどの袖つきの被服において、袖部分３の内側でしかも外部から第三者が侵襲しにくい位置、たとえば袖部分３の上腕部内側で被服着用者の腋側位置や袖口部内側で被服着用者の手首内側位置、あるいはその両方にパスポートやカードあるいは紙幣類を収納するポケットを設けることを主たる構成とするものである。
【発明の効果】
【０００７】
本願発明の被服は、胴部分２と袖部分３を有するシャツやスーツ上着などの袖つきの被服において、たとえば袖部分３の上腕部内側で被服着用者の腋側位置や袖口部内側で手首内側位置、あるいはその両方にポケットを設けたものであるから、仮に第三者がカミソリ刃などを使ってポケット部分を外側から切開しようとしても被服着用者の上腕部分や手首部分が邪魔となってポケット部分を切開することができない。したがってこれらのポケットを使用すればスリ被害の多い一部の海外地域においてもパスポートやカードなどの重要物品をスリ被害から守ることができる効果がある。
【０００８】
また、本願発明の被服は、上半身に着用するものであるから、ポケットから収納物を出し入れする場合にもベルトをゆるめるなどの手間もなく、スムーズに収納物を出し入れすることができる効果がある。
【発明を実施するための最良の形態】
【０００９】
続いて図１を参照して本願発明の好適な実施例を説明すると、図１にはそのまま上衣として着用できるスポーツシャツ１が示されており、同図において符号２はその胴部分、３，３は袖（長袖）部分、４は通常の胸ポケットである。
【００１０】
図示の実施例では袖部分３の上腕部内側で被服着用者の腋側位置に袖腋部内ポケット２２、袖部分３の袖口内側で被服着用者の手首内側位置に袖口部内ポケット２３を付設している。なお、これらの２種類のポケット２２，２３は一方の袖部分又は両方の袖部分に設けられる。被服１の胴部分２の中央には縦方向に開閉用のボタン２５Ａ，２５Ｂ，・・・が取り付けられている。また、胸ポケット４の裏側には胸部内ポケット２４が設けられている。
【００１１】
袖腋部内ポケット２２はその本体袋部２２Ａが長方形状で、パスポートを収納することができる程度の大きさがあり、同本体袋部２２Ａの上端口縁をジッパー２２Ｂで開閉し得るようになっている（なお、ジッパーにかえてボタンや面接着ファスナーなどの他の開閉具を使用することもできる）。
【００１２】
袖腋部内ポケット２２内にパスポートなどの収納物を出し入れするときは、袖腋部内ポケット２２とほぼ同じ高さにある１〜２ケ所のボタンを外し、そこからポケットと反対側にある手を挿し込んでジッパー２２Ｂを開いて収納物を出し入れすることができる。
【００１３】
袖口部内ポケット２３は長方形状で、その本体袋部２３Ａはクレジットカードや折り畳んだ紙幣を収納できる程度の大きさがあり、同本体袋部２３Ａの１つの開口縁をジッパーやボタンあるいは面接着ファスナーなどの開閉具２３Ｂで開閉し得るようになっている。
【００１４】
袖口部内ポケット２３内にクレジットカードや紙幣などの収容物を出し入れする場合は、袖口部分を裏返し状に折り返してポケット部分を外側に露出させるとよい。
【００１５】
なお、胸部内ポケット２４は本体袋部２４Ａの上口縁部をジッパー等の開閉具２４Ｂで開閉し得るようになっている。
【図面の簡単な説明】
【００１６】
【図１】本願発明の実施例にかかる被服の形態説明図である。
【符号の説明】
【００１７】
１は被服、２は胴部分、３は袖部分、２２は袖腋部内ポケット、２３は袖口部内ポケットである。
【図１】
2009007708.tif 000003
(57)【要約】      （修正有）【課題】ダム湖等の大規模な貯水池に堆積する砂泥を、長期に渡る運用期間中、定期的に適切な保守管理を行いながら、安定した排砂性能を維持する事が可能な固定式吸引搬送装置を提供する。【解決手段】排砂管に振動と揺動運動を加えるアクチュエータ１６を取り付け、固定式排砂管の閉塞やシヨートカットなどの諸問題を解決する。さらに水中には駆動装置を設けないので圧力配管の必要も無く、設置の際も保守管理の場合も作業が容易となる。【選択図】図５
2009007787.tif 000002
【特許請求の範囲】
【請求項１】
固定式排砂管に振動と揺動運動を与える装置を取り付け、固着をほぐし排砂を促進する事を特徴とする固定式吸引除去装置。
【請求項２】
多量の砂泥を貯め、自然流下を促す事が可能な、船底形の断面構造を有する貯砂槽を有する固定式吸引除去装置。
【請求項３】
自然堆砂に対しての排砂に有効な吸入口開閉装置と貯砂槽を必要としない固定式排砂管。
【発明の詳細な説明】
【技術分野】
【０００１】
本発明は砂泥を吸引搬送除去する装置に関するものである。
【背景技術】
【０００２】
ダム湖を含めた大規模な貯水池に於いて、水底に堆積する砂泥を吸引搬送除去する固定式排砂管としてハイドロパイプとマルチホールサクション排砂管が知られている。構造的には両者とも管下面に複数の吸入口を軸方向に設け、水位差による水の移動を利用し排砂を行っている。これらの装置は構造が簡単な事と、排砂に要するエネルギーを基本的には必要としない等、経済的に優れていると考えられている。
【特許文献１】特開２００２−２９４６７７号公報
【特許文献２】特開２００５−２６０９号公報
【発明の開示】
【発明が解決しようとする課題】
【０００３】
しかし、ハイドロパイプは繰返しの使用で常に安定した動作を再現できる技術なのか疑問が残る。さらに、両技術とも管内と吸入口付近の閉塞に対して明確な対策が確立されているとは言えない。また，マルチホールサクション排砂管では吸入口開閉装置を排砂管の真下に設けているため、長期間の運用での開閉装置の取替え工事などを含めた保守点検作業に問題がある。
【課題を解決するための手段】
【０００４】
ダム湖などの大規模貯水池での堆砂対策は、浚渫搬送された砂泥を集積地に置き、条件が整った時点で排砂を行う事が考えられている。本発明は集積と排砂の機能に関する装置と構造物である。
【０００５】
本発明は排砂管を直管とする事で、管に回転運動を加える駆動装置を取り付ける事が可能となり、管全体に振動と揺動運動を起こすことが出来る。
【発明の効果】
【０００６】
この駆動装置により固定式排砂管の問題点であった閉塞とショートカットなどを解決できる。
【発明を実施するための最良の形態】
【０００７】
本発明の全体外略図を図１に示す。本装置は、導水部Ａ、集積と砂泥の吸引部Ｂ、駆動部Ｃ、バルブを含む固定部Ｄの４箇所から構成される。
【０００８】
多量の砂泥を堆積し、自然流下を促す事の出来る船底形貯砂槽１を構造物２で固定する。立抗３には駆動装置と排砂用バルブを取り付けた固定管を設置し、貯槽４に排砂する、さらに搬送管５にて湖外に排出される。船底形貯砂槽を図２に示す。
【０００９】
装置上端部の構造を図３に示す。集砂時に砂泥が排砂管６になるべく侵入させないため、管端はプレート７で塞ぎ導水口８は下側に設ける。
【００１０】
軸受け箱９に軸受け１０を設け揺動運動の上部の受けとする。
【００１１】
貯砂槽内のスリット状の吸入口１２を有する排砂管１１の状態を図４に示す。
【００１２】
貯砂槽の底部には排砂管１１を受ける受け台１３を設ける。
【００１３】
立抗のコンクリート壁に埋め込まれたプレートにフランジ１４を取り付け、Ｏリング１８、パッキン１９、ダストシ−ル２０、ウェアリング２１を装着したパッキンスリーブ１５を組み付ける。
【００１４】
振動と揺動運動を付与するアクチュエータ１６を排砂管の延長管に取り付ける。
【００１５】
軸受け箱９に軸受け１０を組み込み排砂管下部で支持する。
【００１６】
排砂管固定部と揺動部の接続はＺ部詳細に示すように、パッキン１９、ダストシール２０、ウェアリング２１を装着した管により行なわれる。
【００１７】
図６に示すように、吐出口２３を有する固定部の排砂管２４には、排砂操作用のバルブ２２が取り付けられる。
【実施例１】
【００１８】
排砂作業の開始は、バルブ２２を開けアクチュエータ１６の運転を開始する。
【００１９】
運転開始初期では、集砂堆積した砂泥が排砂管周囲を圧密固化していると考えられるため、すぐに排砂は行なわれないが、アクチュエータの繰返し動作により発生する振動で徐々に緩みだし、排砂が開始される。
【００２０】
排砂が始まると管の自由度は増し、やがて揺動運動となる。
【００２１】
揺動が始まるとスリットのエッジが掘削の作用をするため加速度的に排砂は進む。
【００２２】
仮に排砂動作中、雪崩現象による閉塞、ショートカットが発生しても、この動作を繰り返す事により、排砂は再開される。
【実施例２】
【００２３】
排砂処理量を増すため、本装置を複数台設置した状態を図７に示す。隣り合う貯砂槽に屋根型のプレート２５を付ける事で、連続した集砂エリアを構築できる。
【実施例３】
【００２４】
本装置は開閉装置を必要としないマルチホールサクション排砂管にも適用でき、その形態を図８に示す。
【００２５】
排砂管内への不要な土砂の流入を避けるため導水口２６は下向きに設置する。導水口部Ｅとバルブを含む吐出口部Ｈを固定し、吸入口部Ｆを駆動部Ｇで作動させる。
【００２６】
この方式は管長に制限がある事と構造的に枝管は取り付けられないため、広範な排砂を行なうことは出来ないが、水底に対し水平に設置する事から貯砂槽は必要とせず、比較的小規模な貯水池での自然堆砂の排砂に有効である。
【図面の簡単な説明】
【００２７】
【図１】排砂装置全体の概略図
【図２】船底形断面の貯砂槽の図面
【図３】導水口部の構造図
【図４】スリット状吸入口の構造図
【図５】駆動部の構造図
【図６】吐出口部の構造図
【図７】複数台設置の状態図
【図８】マルチホールサクション排砂管への適用図
【符号の説明】
【００２８】
１  貯砂槽
２  構造物
３  立抗
４  貯槽
５  搬送管
６  導水口部排砂管
７  管端プレート
８  導水口
９  軸受け箱
１０  軸受け
１１  吸入口部排砂管
１２  吸入口
１３  受け台
１４  フランジ
１５  パッキンスリーブ
１６  アクチュエータ
１７  シール
１８  Ｏリング
１９  パッキン
２０  ダストシール
２１  ウェアリング
２２  バルブ
２３  吐出口
２４  吐出口排砂管
２５  屋根形プレート
２６  マルチホールサクション排砂管導水口
【図１】
2009007787.tif 000003
【図２】
2009007787.tif 000004
【図３】
2009007787.tif 000005
【図４】
2009007787.tif 000006
【図５】
2009007787.tif 000007
【図６】
2009007787.tif 000008
【図７】
2009007787.tif 000009
【図８】
2009007787.tif 000010